(57)【要約】【課題】店舗事情に応じて、支柱の左側面部もしくは右側面部に設置可能で、より簡易な構造の顧客用表示装置を備える据え置き型スキャナ装置を提供する。【解決手段】載置台上に立設された支柱の側面部に取り付けられる顧客用表示装置を備えた据え置き型スキャナ装置は、顧客用表示装置を構成する正面ケースと背面ケースとの間に一端が固定されたアームの他端を支柱内に固定することによって、顧客用表示装置を支柱の左側面部又は右側面部に取り付け可能である。２つのアーム部から成るくの字型の棒状のアームは、一方のアーム部が正面ケースに固定され、他方のアーム部が背面ケースの開口部を介して背面ケースの外側に延びる。正面ケース、背面ケース、およびアームは、共通の部品から成る。【選択図】図２Ａ
2014026633.tif 000002
【特許請求の範囲】
【請求項１】
載置台上に立設する支柱と、該支柱に取り付けられたスキャナと、前記支柱の側面部に取り付けられる顧客用表示装置と、を含む据え置き型スキャナ装置であって、前記顧客用表示装置は、
ディスプレイユニットを内蔵する正面ケースと、
該正面ケースの背面側に設けられる背面ケースと、
前記正面ケースと前記背面ケースとの間に一端が固定されたアームと、
から構成され、
前記アームの他端を前記支柱内に固定することによって、前記顧客用表示装置を前記支柱の左側面部又は右側面部に取り付け可能であり、
前記アームは、２つのアーム部から成るくの字型の棒状であり、
前記背面ケースは、開口部を有し、
前記アームは、一方のアーム部が前記正面ケースに固定され、他方のアーム部が前記開口部を通して前記背面ケースの外側に延び、
前記背面ケースは、左側面部に設置する場合と右側面部に設置する場合とで前記正面ケースへの取り付け方向が異なり、
前記正面ケース、前記背面ケース、および前記アームは、前記顧客用表示装置を前記支柱の左側面部又は右側面部に設置する場合でも、共通の部品から成ることを特徴とする据え置き型スキャナ装置。
【請求項２】
前記背面ケースは複数の係合爪を有し、
前記正面ケースは前記係合爪と同数の係合孔を有し、
前記背面ケースは、前記係合爪と前記係合孔との係合によって、前記正面ケースに組み付けられるものであり、
前記顧客用表示装置を前記支柱の左側面部に設置する場合と右側面部に設置する場合とでは前記係合爪と前記係合孔との組み合わせを変えて、共通の前記係合孔を使用して前記背面ケースを前記正面ケースに組み付ける、請求項１に記載の据え置き型スキャナ装置。
【請求項３】
前記顧客用表示装置は、前記背面ケースと前記アームとの隙間を目隠しするための取り付け板金を更に有する、請求項１又は２に記載の据え置き型スキャナ装置。
【請求項４】
前記取り付け板金は、前記顧客用表示装置を前記支柱の左側面部又は右側面部に設置するかで、別の部品から成る、請求項３に記載の据え置き型スキャナ装置。
【請求項５】
前記支柱は、前記アームの他端を通すために、左側面部及び右左側面部に設けられた左側面孔および右側面孔を持ち、
前記据え置き型スキャナ装置は、前記左側面孔および前記右側面孔の一方を塞ぐための塞ぎ板を更に有する、請求項１乃至４のいずれか１項に記載の据え置き型スキャナ装置。
【請求項６】
据え置き型スキャナ装置の支柱の左側面部又は右側面部に取り付け自在な顧客用表示装置であって、
ディスプレイユニットを内蔵する正面ケースと、
該正面ケースの背面側に設けられる背面ケースと、
前記正面ケースと前記背面ケースとの間に一端が固定されたアームと、
から構成され、
前記アームの他端を前記支柱内に固定することによって、当該顧客用表示装置を前記支柱の左側面部又は右側面部に取り付け可能であり、
前記アームは、２つのアーム部から成るくの字型の棒状であり、
前記背面ケースは、開口部を有し、
前記アームは、一方のアーム部が前記正面ケースに固定され、他方のアーム部が前記開口部を通して前記背面ケースの外側に延び、
前記背面ケースは、左側面部に設置する場合と右側面部に設置する場合とで前記正面ケースへの取り付け方向が異なり、
前記正面ケース、前記背面ケース、および前記アームは、当該顧客用表示装置を前記支柱の左側面部又は右側面部に設置する場合でも、共通の部品から成ることを特徴とする顧客用表示装置。
【請求項７】
前記背面ケースは複数の係合爪を有し、
前記正面ケースは前記係合爪と同数の係合孔を有し、
前記背面ケースは、前記係合爪と前記係合孔との係合によって、前記正面ケースに組み付けられるものであり、
当該顧客用表示装置を前記支柱の左側面部に設置する場合と右側面部に設置する場合とでは前記係合爪と前記係合孔との組み合わせを変えて、共通の前記係合孔を使用して前記背面ケースを前記正面ケースに組み付ける、請求項６に記載の顧客用表示装置。
【請求項８】
前記背面ケースと前記アームとの隙間を目隠しするための取り付け板金を更に有する、請求項６又は７に記載の顧客用表示装置。
【請求項９】
前記取り付け板金は、当該顧客用表示装置を前記支柱の左側面部又は右側面部に設置するかで、別の部品から成る、請求項８に記載の顧客用表示装置。
【発明の詳細な説明】
【技術分野】
【０００１】
本発明は、据え置き型スキャナ装置に関し、特に、それに備えられる顧客用表示装置に関する。
【背景技術】
【０００２】
ＰＯＳ（Ｐｏｉｎｔ  Ｏｆ  Ｓａｌｅｓ）システムとして、店員の一人が、顧客が購入する商品の商品登録作業を行い、他の店員の一人が精算作業を行う、ＰＯＳシステムが知られている。このようなＰＯＳシステムは、商品登録作業に使用される据え置き型スキャナ装置と、精算作業を行うためのＰＯＳ端末装置とを備えている。
【０００３】
据え置き型スキャナ装置は、商品が入れられたカゴ等が置かれる載置台（サッカー台）上に設置される。据え置き型スキャナ装置は、商品販売情報の処理装置とも呼ばれる。据え置き型スキャナ装置は、載置台上に立設する支柱と、スキャナと、キーボードと、店員（オペレータ）用のタッチパネル付表示装置と、顧客用表示装置とを含む。
【０００４】
スキャナは、支柱に取り付けられ、商品に付けられたバーコードを読み取るためのものである。キーボードは、支柱に取り付けられ、バーコードが付けられていない商品の商品名や数字データを入力するためのものである。タッチパネル付表示装置は、キーボートと隣接して支柱に取り付けられ、バーコードが付けられていない商品の商品名を入力すると共に、入力したデータに基づく表示をオペレータ（店員）に対して行うためのものである。顧客用表示装置は、入力したデータに基づく表示を顧客に対して行うためのものである。顧客用表示装置は、カスタマディスプレイとも呼ばれる。このような顧客用表示装置は、店舗事情に応じて、据え置き型スキャナ装置の支柱の左側面部もしくは右側面部に備えられる。
【０００５】
顧客用表示装置（カスタマディスプレイ）を備えた据え置き型スキャナ装置（商品販売情報の処理装置）は、従来から種々提案されている。
【０００６】
例えば、特開２０００−１４９１４０号公報（特許文献１）は、店舗事情に応じて顧客用表示装置（カスタマディスプレイ）の向きを設定できるように、支持構造にスイブル機構を有している、商品販売情報の処理装置を開示している。
【先行技術文献】
【特許文献】
【０００７】
【特許文献１】特開２０００−１４９１４０号公報
【発明の概要】
【発明が解決しようとする課題】
【０００８】
しかしながら、特許文献１に開示された商品販売情報の処理装置は、スイブル機構を有しているため、その分、コスト高となるという課題がある。
【０００９】
したがって、本発明の課題は、店舗事情に応じて、支柱の左側面部もしくは右側面部に設置可能で、より簡易な構造の顧客用表示装置を備える据え置き型スキャナ装置を提供することにある。
【課題を解決するための手段】
【００１０】
本発明による据え置き型スキャナ装置は、載置台上に立設する支柱と、この支柱に取り付けられたスキャナと、支柱の側面部に取り付けられる顧客用表示装置と、を含む据え置き型スキャナ装置であって、顧客用表示装置は、ディスプレイユニットを内蔵する正面ケースと、この正面ケースの背面側に設けられる背面ケースと、正面ケースと背面ケースとの間に一端が固定されたアームと、から構成され、アームの他端を前記支柱内に固定することによって、顧客用表示装置を支柱の左側面部又は右側面部に取り付け可能であり、アームは、２つのアーム部から成るくの字型の棒状であり、背面ケースは、開口部を有し、アームは、一方のアーム部が正面ケースに固定され、他方のアーム部が開口部を通して背面ケースの外側に延び、背面ケースは、左側面部に設置する場合と右側面部に設置する場合とで正面ケースへの取り付け方向が異なり、正面ケース、背面ケース、およびアームは、顧客用表示装置を支柱の左側面部又は右側面部に設置する場合でも、共通の部品から成ることを特徴とする。
【発明の効果】
【００１１】
本発明によれば、店舗事情に応じて、支柱の左側面部もしくは右側面部に設置可能で、より簡易な構造の顧客用表示装置を備える据え置き型スキャナ装置を提供することができる。
【図面の簡単な説明】
【００１２】
【図１Ａ】本発明の一実施形態に係る据え置き型スキャナ装置を、前方（正面；オペレータ側；店員側）から観た斜視図である。
【図１Ｂ】図１Ａに示した据え置き型スキャナ装置を、後方（背面；顧客側）から観た斜視図である。
【図２Ａ】図１Ａに示す据え置き型スキャナ装置の正面から見て右側に設置する場合の顧客用表示装置（カスタマディスプレイ）を示す分解斜視図である。
【図２Ｂ】図１Ａに示す据え置き型スキャナ装置の正面から見て左側に設置する場合の顧客用表示装置（カスタマディスプレイ）を示す分解斜視図である。
【図３Ａ】図２Ａおよび図２Ｂに示した顧客用表示装置（カスタマディスプレイ）に使用されるアームの全体構成を示す斜視図である。
【図３Ｂ】図３Ａに示したアームの右側アーム部（第１のアーム部）の一部（端部）を拡大して示す図である。
【図３Ｃ】図３Ａに示したアームの左側アーム部（第２のアーム部）の一部（端部）を拡大して示す図である。
【図４Ａ】図１Ａおよび図１Ｂに示す据え置き型スキャナ装置の主要部の右側面図である。
【図４Ｂ】図４Ａから塞ぎ板を取り外した状態を示す右側面図である。
【図５Ａ】塞ぎ板を正面側から観た斜視図である。
【図５Ｂ】図５Ａに示す塞ぎ板を背面側から観た斜視図である。
【発明を実施するための形態】
【００１３】
次に、発明を実施するための形態について、図面を参照して詳細に説明する。
【００１４】
図１Ａおよび図１Ｂを参照して、本発明の一実施形態に係る据え置き型スキャナ装置１０について説明する。図１Ａは据え置き型スキャナ装置１０を、前方（正面；オペレータ側；店員側）から観た斜視図である。図１Ｂは、図１Ａに示した据え置き型スキャナ装置１０を、後方（背面；顧客側）から観た斜視図である。
【００１５】
ここでは、図１Ａおよび図１Ｂに示されるように、直交座標系（Ｘ，Ｙ，Ｚ）を使用している。図１Ａおよび図１Ｂに図示した状態では、直交座標系（Ｘ，Ｙ，Ｚ）において、Ｘ軸方向は前後方向（奥行方向）であり、Ｙ軸方向は左右方向（幅方向）であり、Ｚ軸方向は上下方向（高さ方向）である。
【００１６】
据え置き型スキャナ装置１０は、商品が入れられたカゴ等が置かれるサッカー台（載置台）２０に設置される。据え置き型スキャナ装置１０は、店員（オペレータ）用のタッチパネル付表示装置１１、顧客用表示装置１２、スキャナ１３、キーボード１４、支柱１５、及びフキン収容部１６を有している。
【００１７】
図示の例では、据え置き型スキャナ装置１０の正面（店員側）から見て左側の側面に、顧客用表示装置１２を設置した場合を示している。顧客用表示装置１２は、カスタマディスプレイとも呼ばれる。
【００１８】
スキャナ１３は、支柱１５に取り付けられ、商品に付けられたバーコードを読み取るためのものである。本実施形態のスキャナ１３は、ＣＣＤ（Ｃｈａｒｇｅ  Ｃｏｕｐｌｅｄ  Ｄｅｖｉｃｅ）イメージセンサ等のイメージャを用いるイメージャスキャナであるが、レーザ型スキャナであってもよい。
【００１９】
キーボード１４は、支柱１５に取り付けられ、バーコードが付けられていない商品の商品名や数字データを入力するためのものである。タッチパネル付表示装置１１は、キーボート１４と隣接して支柱１５に取り付けられ、バーコードが付けられていない商品の商品名を入力すると共に、入力したデータに基づく表示をオペレータ（店員）に対して行うためのものである。タッチパネル付表示装置１１とキーボード１４との組合せは、総称して、入力表示パネル部１７と呼ばれる。
【００２０】
フキン収容部１６は、支柱１５に対して着脱自在に取り付けられ、フキン（図示せず）を収容するためのものである。
【００２１】
顧客用表示装置（カスタマディスプレイ）１２は、支柱１５に対して後述するように着脱自在に取り付けられ、入力したデータに基づく表示を顧客に対して行うためのものである。このような顧客用表示装置１２は、店舗事情に応じて、後述するように、据え置き型スキャナ装置１０の支柱１５の左側面部もしくは右側面部に備えられる。
【００２２】
次に、図２Ａおよび図２Ｂを参照して、顧客用表示装置（カスタマディスプレイ）１２について説明する。図２Ａは、据え置き型スキャナ装置１０の正面から見て右側に設置する場合の顧客用表示装置（カスタマディスプレイ）１２を示す分解斜視図である。図２Ｂは、据え置き型スキャナ装置１０の正面から見て左側に設置する場合の顧客用表示装置（カスタマディスプレイ）１２を示す分解斜視図である。
【００２３】
図２Ａに示される、据え置き型スキャナ装置１０の支柱１５の右側面部に設置される顧客用表示装置（カスタマディスプレイ）１２は、右側設置用顧客用表示装置（カスタマディスプレイ）と呼ばれる。図２Ｂに示される、据え置き型スキャナ装置１０の支柱１５の左側面部に設置される顧客用表示装置（カスタマディスプレイ）１２は、左側設置用顧客用表示装置（カスタマディスプレイ）と呼ばれる。
【００２４】
図示の顧客用表示装置（カスタマディスプレイ）１２は、正面ケース１２２、背面ケース１２４、アーム１２６、及び取り付け板金１２８Ｒ、１２８Ｌから構成される。
【００２５】
正面ケース１２２には、ディスプレイユニット１２２ａ（図１Ｂ参照）が内蔵されており、このディスプレイユニット１２２ａは、図示しないケーブルを介して据え置き型スキャナ装置１０の制御部（図示せず）と接続される。
【００２６】
背面ケース１２４は、正面ケース１２２の背面側に設けられる。背面ケース１２４は、６箇所に係合爪１２４ａを有し、正面ケース１２２の対応する係合孔１２２ｂに係合爪１２４ａを挿入して係合して、正面ケース１２２に取り付ける。
【００２７】
アーム１２６は、正面ケース１２２と背面ケース１２４との間に設けられ、くの字型の棒状の金属性の部品から成る。すなわち、アーム１２６は、２本のアーム部１２６Ｒ、１２６Ｌから構成される。ここでは、アーム部１２６Ｒを第１のアーム部と呼び、アーム部１２６Ｌを第２のアーム部と呼ぶ。
【００２８】
図２Ａおよび図２Ｂから明らかように、第１のアーム部１２６Ｒと第２のアーム部１２６Ｌとの間の夾角は、鈍角である。後述するように、第１のアーム部１２６Ｒおよび第２のアーム部１２６Ｌの一方を正面ケース１２２のネジ孔（図示せず）にネジ３０で取り付け、第１のアーム部１２６Ｒおよび第２のアーム部１２６Ｌの他方を据え置き型スキャナ装置１０の支柱１５の左側面部又は右側面部に設けられた取り付け部（図示せず）にネジ（図示せず）で取り付けることによって、顧客用表示装置１２を据え置き型スキャナ装置１０の支柱１５に固定する。
【００２９】
アーム１２６は、据え置き型スキャナ装置１０の支柱１５に固定された顧客用表示装置１２に、小さな子供がぶら下がっても折れたり変形したりしない程度の十分な強度を有している。
【００３０】
取り付け板金１２８Ｒ、１２８Ｌの各々は、背面ケース１２４とアーム１２６との隙間を目隠しするための部品であり、正面ケース１２２のネジ孔１２２ｃにネジ（図示せず）で取り付けられる。
【００３１】
正面ケース１２２、背面ケース１２４、及びアーム１２６は、顧客用表示装置（カスタマディスプレイ）１２を据え置き型スキャナ装置１０の正面から見て右側に設置する場合でも、顧客用表示装置（カスタマディスプレイ）１２を据え置き型スキャナ装置１０の正面から見て左側に設置する場合でも、共通する部品であり、同じものを使用する。
【００３２】
これに対して、取り付け板金１２８Ｒ、１２８Ｌのみ、左側設置用と右側設置用とで別の部品となっている。図示の例では、取り付け板金１２８Ｒは右側設置用であり、取り付け板金１２８Ｌは左側設置用である。
【００３３】
右側設置用取り付け板金１２８Ｒは、当該右側設置用取り付け板金１２８Ｒをネジで正面ケース１２２のネジ孔１２２ｃに取り付けるための４つの貫通孔１２８Ｒａを持つ。同様に、左側設置用取り付け板金１２８Ｌは、当該左側設置用取り付け板金１２８Ｌをネジで正面ケース１２２のネジ孔１２２ｃに取り付けるための４つの貫通孔１２８Ｌａを持つ。
【００３４】
図２Ａと図２Ｂに示すように、背面ケース１２４は、左側設置時と右側設置時とで正面ケース１２２への取り付け方向が異なる。
【００３５】
図３Ａ、図３Ｂ、および図３Ｃを参照して、アーム１２６の構成について更に詳細に説明する。図３Ａはアーム１２６の全体構成を示す斜視図である。
【００３６】
図３Ａに示されるように、アーム１２６は、前述したように、くの字型の棒状の金属性の部品で、第１および第２のアーム部１２６Ｒ、１２６Ｌから構成され、第１および第２のアーム部１２６Ｒ、１２６Ｌの接合部分は溶接されている。ここでは、第１のアーム部１２６Ｒを右側アーム部とも呼び、第２のアーム部１２６Ｌを左側アーム部とも呼ぶ。第１のアーム部（右側アーム部）１２６Ｒおよび第２のアーム部（左側アーム部）１２６Ｌの各々は、断面がコの字形をしている。
【００３７】
図３Ｂは第１のアーム部（右側アーム部）１２６Ｒの一部（端部）を拡大して示す図であり、図３Ｃは第２のアーム部（左側アーム部）１２６Ｌの一部（端部）を拡大して示す図である。
【００３８】
図３Ｂに示されるように、右側アーム部１２６Ｒは、右側丸孔１２６Ｒａ、右側長孔１２６Ｒｂ、および一対の右側ネジ孔１２６Ｒｃを持つ。
【００３９】
同様に、図３Ｃに示されるように、左側アーム部１２６Ｌは、左側丸孔１２６Ｌａ、左側長孔１２６Ｌｂ、および一対の左側ネジ孔１２６Ｌｃを持つ。
【００４０】
図３Ａに示されるように、アーム１２６の右側アーム部１２６Ｒには、ディスプレイユニット１２２ａからのケーブル（図示せず）を固定する樹脂製のケーブルクランプ１２７が取り付けられている。また、アーム１２６の右側アーム部１２６Ｒおよび左側アーム部１２６Ｌの内壁面には、ケーブルを図３Ａの右側（すなわち、左側アーム部１２６Ｌ）に通す場合にケーブルを保護するゴム製のクッション１２９が貼付されている。ディスプレイユニット１２２ａからのケーブル（図示せず）は、ケーブルクランプ１２７を経由し、第１のアーム部（右側アーム部）１２６Ｒの内側、もしくは第２のアーム部（左側アーム部）１２６Ｌの内側を通った後、据え置き型スキャナ装置１０の制御部（図示せず）と接続される。
【００４１】
次に、アーム１２６の取付け方法について説明する。
【００４２】
最初に、図２Ｂ、図３Ａ〜図３Ｃを参照して、顧客用表示装置１２を据え置き型スキャナ装置１０の支柱１５の左側面部に設置する場合（図１Ａ参照）のアーム１２６の取付け方法について説明する。換言すれば、顧客用表示装置１２として、図２Ｂに示した左側設置用顧客用表示装置（カスタマディスプレイ）を使用する場合のアーム１２６の取付け方法について説明する。
【００４３】
この場合、図３Ｃに示す左側丸孔１２６Ｌａと左側長孔１２６Ｌｂの取付孔を通して、左側アーム部（第２のアーム部）１２６Ｌを正面ケース１２２へネジ３０で取り付け、図３Ｂに示す一対の右側ネジ孔１２６Ｒｃを使用して、右側アーム部（第１のアーム部）１２６Ｒを、据え置き型スキャナ装置１０の支柱１５の左側面部の取り付け部（図示せず）にネジ（図示せず）で取り付ける。これにより、左側設置用顧客用表示装置１２を、据え置き型スキャナ装置１０の支柱１５の左側面部に固定することができる。
【００４４】
次に、図２Ａ、図３Ａ〜図３Ｃを参照して、顧客用表示装置１２を据え置き型スキャナ装置１０の支柱１５の右側面部に設置する場合のアーム１２６の取付け方法について説明する。換言すれば、顧客用表示装置１２として、図２Ａに示した右側設置用顧客用表示装置（カスタマディスプレイ）を使用する場合のアーム１２６の取付け方法について説明する。
【００４５】
この場合、図３Ｂに示す右側丸孔１２６Ｒａと右側長孔１２６Ｒｂの取付孔を通して、右側アーム部（第１のアーム部）１２６Ｒを正面ケース１２２へネジ３０で取り付け、図３Ｃに示す一対の左側ネジ孔１２６Ｌｃを使用して、左側アーム部（第２のアーム部）１２６Ｌを、据え置き型スキャナ装置１０の支柱１５の右側面部の取り付け部（図示せず）にネジ（図示せず）で取り付ける。これにより、右側設置用顧客用表示装置１２を、据え置き型スキャナ装置１０の支柱１５の右側面部に固定することができる。
【００４６】
図４Ａは据え置き型スキャナ装置１０の主要部の右側面図である。図４Ｂは、図４Ａから塞ぎ板１８を取り外した状態を示す右側面図である。図５Ａは塞ぎ板１８を正面側から観た斜視図であり、図５Ｂは塞ぎ板１８を背面側から観た斜視図である。
【００４７】
図４Ｂに示されるように、塞ぎ板１８を取り外すと、支柱１５の右側面部には、右側設置用顧客用表示装置１２（図２Ａ）を据え置き型スキャナ装置１０の右側側面に固定する際にアーム１２６の左側アーム部（第２のアーム部）１２６Ｌを通すための右側面孔１５Ｒａが現れる。図示はしないが、据え置き型スキャナ装置１０の支柱１５の左側面部にも、アーム１２６の右側アーム部（第１のアーム部）１２６Ｒを通すための左側面孔が穿設されている。したがって、この取り外した塞ぎ板１８は、当該左側面孔に嵌め込まれる。
【００４８】
このように、塞ぎ板１８は、左側面と右側面に共通の部品である。
【００４９】
図５Ａおよび図５Ｂに示されるように、塞ぎ板１８は、当該塞ぎ板１８を右側面孔１５Ｒａ又は左側面孔に係合するための３つの係合爪１８ａを有する。
【００５０】
上述したように、本実施の形態に係る顧客用表示装置１２は、取り付け板金１２８Ｒ、１２８Ｌを除き、正面ケース１２２、背面ケース１２４、及びアーム１２６は、左側設置の場合でも右側設置の場合でも同じものを使用し、かつ、くの字型で棒状の金属性の部品から成るアーム１２６で取り付けるシンプルな構造であるので、安価に製造することができる。
【００５１】
以上説明した本発明の実施の形態においては、以下に記載するような効果を奏する。
【００５２】
本発明の実施の形態によれば、店舗事情に応じて、支柱１５の左側面部もしくは右側面部に設置可能で、より簡易な構造の顧客用表示装置１２を備える据え置き型スキャナ装置１０を提供することができる。
【００５３】
以上、実施例を参照して本発明を説明したが、本発明は上記実施例に限定されるものではない。本発明の構成や詳細は、本発明のスコープ内で当業者が理解し得る様々な変更をすることができる。例えば、上記実施形態では、顧客用表示装置（カスタマディスプレイ）１２は、背面ケース１２４とアーム１２６との隙間を目隠しするための取り付け板金１２８Ｒ、１２８Ｌを有しているが、この取り付け板金は無くても良い。また、上記実施形態では、アーム１２６は、くの字型の棒状をしているが、アームの形状はこれに限定されず、例えば、直線状の棒状をしていてもよい。
【００５４】
上記の実施形態（実施例）の一部又は全部は、以下の付記のようにも記載されうるが、以下には限られない。
【００５５】
（付記１）  載置台上に立設する支柱と、該支柱に取り付けられたスキャナと、前記支柱の側面部に取り付けられる顧客用表示装置と、を含む据え置き型スキャナ装置であって、前記顧客用表示装置は、
ディスプレイユニットを内蔵する正面ケースと、
該正面ケースの背面側に設けられる背面ケースと、
前記正面ケースと前記背面ケースとの間に一端が固定されたアームと、
から構成され、
前記アームの他端を前記支柱内に固定することによって、前記顧客用表示装置を前記支柱の左側面部又は右側面部に取り付け可能としたことを特徴とする、据え置き型スキャナ装置。
【００５６】
（付記２）  前記アームは、第１のアーム部および第２のアーム部から成るくの字型の棒状であり、
前記第１のアーム部が前記正面ケースと前記背面ケースとの間に固定された場合は、前記第２のアーム部が前記支柱内に固定され、前記第２のアーム部が前記正面ケースと前記背面ケースとの間に固定された場合は、前記第１のアーム部が前記支柱内に固定されて、前記顧客用表示装置が前記支柱の左側面部又は右側面部の取り付け部に取り付けられる、付記１に記載の据え置き型スキャナ装置。
【００５７】
（付記３）  前記正面ケース、前記背面ケース、および前記アームは、前記顧客用表示装置を前記支柱の左側面部又は右側面部に設置する場合でも、共通の部品から成る、付記１又は２に記載の据え置き型スキャナ装置。
【００５８】
（付記４）  前記背面ケースは、複数の係合爪を有し、
前記正面ケースは、前記複数の係合爪がそれぞれ係合される複数の係合孔を有する、付記１乃至３のいずれか１項に記載の据え置き型スキャナ装置。
【００５９】
（付記５）  前記顧客用表示装置は、前記アームに取り付けられ、前記ディスプレイユニットからのケーブルを固定するためのケーブルクランプを更に有する、付記１乃至４のいずれか１項に記載の据え置き型スキャナ装置。
【００６０】
（付記６）  前記顧客用表示装置は、前記アームに貼付されて、前記ケーブルを保護するためのクッションを更に有する、付記５に記載の据え置き型スキャナ装置。
【００６１】
（付記７）  前記顧客用表示装置は、前記背面ケースと前記アームとの隙間を目隠しするための取り付け板金を更に有する、付記１乃至６のいずれか１項に記載の据え置き型スキャナ装置。
【００６２】
（付記８）  前記取り付け板金は、前記顧客用表示装置を前記支柱の左側面部又は右側面部に設置するかで、別の部品から成る、付記７に記載の据え置き型スキャナ装置。
【００６３】
（付記９）  前記支柱は、前記アームの他端を通すために、左側面部及び右側面部に設けられた左側面孔および右側面孔を持ち、
前記据え置き型スキャナ装置は、前記左側面孔および前記右側面孔の一方を塞ぐための塞ぎ板を更に有する、付記１乃至８のいずれか１項に記載の据え置き型スキャナ装置。
【００６４】
（付記１０）  据え置き型スキャナ装置の支柱の左側面部又は右側面部に取り付け自在な顧客用表示装置であって、
ディスプレイユニットを内蔵する正面ケースと、
該正面ケースの背面側に設けられる背面ケースと、
前記正面ケースと前記背面ケースとの間に設けられ、第１のアーム部および第２のアーム部から成るくの字型の棒状のアームと、
から構成され、
前記第１のアーム部が前記正面ケースと前記背面ケースとの間に固定された場合は、前記第２のアーム部が前記支柱内に固定され、前記第２のアーム部が前記正面ケースと前記背面ケースとの間に固定された場合は、前記第１のアーム部が前記支柱内に固定されて、当該顧客用表示装置が前記支柱の左側面部又は右側面部の取り付け部に取り付けられる、ことを特徴とする顧客用表示装置。
【００６５】
（付記１１）  前記正面ケース、前記背面ケース、および前記アームは、当該顧客用表示装置を前記支柱の左側面部又は右側面部に設置する場合でも、共通の部品から成る、付記１０に記載の顧客用表示装置。
【００６６】
（付記１２）  前記背面ケースは、複数の係合爪を有し、
前記正面ケースは、前記複数の係合爪がそれぞれ係合される複数の係合孔を有する、付記１１に記載の顧客用表示装置。
【００６７】
（付記１３）  前記アームに取り付けられ、前記ディスプレイユニットからのケーブルを固定するためのケーブルクランプを更に有する、付記１１又は１２に記載の顧客用表示装置。
【００６８】
（付記１４）  前記アームに貼付されて、前記ケーブルを保護するためのクッションを更に有する、付記１３に記載の顧客用表示装置。
【００６９】
（付記１５）  前記背面ケースと前記アームとの隙間を目隠しするための取り付け板金を更に有する、付記１１乃至１４のいずれか１項に記載の顧客用表示装置。
【００７０】
（付記１６）  前記取り付け板金は、当該顧客用表示装置を前記支柱の左側面部又は右側面部に設置するかで、別の部品から成る、付記１５に記載の顧客用表示装置。
【符号の説明】
【００７１】
１０    据え置き型スキャナ装置
１１    タッチパネル付表示装置
１２    顧客用表示装置（カスタマディスプレイ）
１２２    正面ケース
１２２ａ    ディスプレイユニット
１２２ｂ    係合孔
１２２ｃ    ネジ孔
１２４    背面ケース
１２４ａ    係合爪
１２６    アーム
１２６Ｒ    右側アーム部（第１のアーム部）
１２６Ｒａ    右側丸孔
１２６Ｒｂ    右側長孔
１２６Ｒｃ    右側ネジ孔
１２６Ｌ    左側アーム部（第２のアーム部）
１２６Ｌａ    左側丸孔
１２６Ｌｂ    左側長孔
１２６Ｌｃ    左側ネジ孔
１２７    ケーブルクランプ
１２８Ｒ    右側設置用取り付け板金
１２８Ｒａ    貫通孔
１２８Ｌ    左側設置用取り付け板金
１２８Ｌａ    貫通孔
１２９    クッション
１３    スキャナ
１４    キーボード
１５    支柱
１５Ｒａ    右側面孔
１６    フキン収容部
１７    入力表示パネル部
１８    塞ぎ板
１８ａ    係合爪
２０    サッカー台（載置台）
３０    ネジ
【図１Ａ】
2014026633.tif 000003
【図１Ｂ】
2014026633.tif 000004
【図２Ａ】
2014026633.tif 000005
【図２Ｂ】
2014026633.tif 000006
【図３Ａ】
2014026633.tif 000007
【図３Ｂ】
2014026633.tif 000008
【図３Ｃ】
2014026633.tif 000009
【図４Ａ】
2014026633.tif 000010
【図４Ｂ】
2014026633.tif 000011
【図５Ａ】
2014026633.tif 000012
【図５Ｂ】
2014026633.tif 000013